(57)【要約】【課題】観察者に応じて容易に乱視矯正レンズを交換でき且つ交換した際に乱視矯正レンズを正しい向きにすることができる手術顕微鏡の接眼部構造を提供する。【解決手段】乱視矯正レンズ９内蔵の端末部５が、視度調整レンズ８内蔵の本体部４にバヨネット方式により着脱自在になっているため、乱視矯正レンズ９の交換が容易である。また取付時に必ず乱視矯正レンズ９が正規の向きになるため乱視矯正機能が損なわれない。【選択図】図４
2018205371.tif 000002
【特許請求の範囲】
【請求項１】
手術顕微鏡に設けられている左右一対の接眼部の内部に、該接眼部の観察者側から、筒状のアイカップが挿入されている手術顕微鏡の接眼部構造であって、
前記アイカップが、接眼部の光軸を中心した回転方向において非回転を維持したまま光軸方向ではスライド自在に接眼部に挿入され且つ内部に視度調整レンズが設けられた本体部と、該本体部の観察者側に着脱自在に取付けられ且つ内部に乱視矯正レンズが設けられた端末部とから構成され、
該端末部が本体部に対する取付け時に接眼部の光軸を中心とした回転方向において正規の向きになることを特徴とする手術顕微鏡の接眼部構造。
【請求項２】
端末部が本体部に対してバヨネット方式により着脱自在に取付けられ、
本体部又は端末部のいずれか一方の対応面には、光軸を中心とした回転方向に沿ってそれぞれ形状が異なるフランジ状のバヨネット爪が複数形成され、
他方の対応面には、前記各バヨネット爪に相応する形状で該バヨネット爪を光軸方向に沿って差入れ可能な切欠部がそれぞれ形成されていると共に、各切欠部から光軸を中心とした回転方向のうち一方の係止方向だけに向けてバヨネット溝が形成され、
バヨネット爪が切欠部からバヨネット溝の端部まで回転することで端末部が本体部に対して取付状態となり且つ端末部が正規の向きになることを特徴とする請求項１記載の手術顕微鏡の接眼部構造。
【発明の詳細な説明】
【技術分野】
【０００１】
本発明は手術顕微鏡の接眼部構造に関するものである。
【背景技術】
【０００２】
手術顕微鏡は術部を立体的に観察するために左右一対の接眼部を備えている。接眼部の内部には内筒状のアイカップが接眼部の光軸方向に沿ってスライド自在に挿入されている。アイカップの内部には観察者の個人的な視力に応じて視度調整するための視度調整レンズが設けられており、アイカップのスライド位置を変更することにより観察者に合った視度に調整できるようになっている。
【０００３】
最近では観察者（ドクター）がメガネを外して手術が行えるように、視度調整レンズに加えて接眼部にドクター個人用の乱視矯正レンズを追加したい要請があり、乱視矯正レンズも追加可能にした接眼部が提案されている（例えば、特許文献１参照）。
【先行技術文献】
【特許文献】
【０００４】
【特許文献１】特開２０１０−４９１１１号公報
【発明の概要】
【発明が解決しようとする課題】
【０００５】
しかしながら、接眼部に内蔵する視度調整レンズはスライド位置を変更するだけで、あらゆる観察者の瞳に対して視度調整を行うことができるが、乱視矯正レンズの特性は個人それぞれで異なり、１つの乱視矯正レンズはその観察者個人にか使用できない。しかも乱視矯正レンズには回転方向で指向性があり、間違った向きで使用されると乱視矯正レンズとしての機能が損なわれる。
【０００６】
そのため、乱視矯正レンズを追加した接眼部にしても、観察者が変わるごとに乱視矯正レンズを交換しなければならず、交換作業が困難である。また交換した際に乱視矯正レンズが正しい向きでなけれならず、更にその交換作業の困難さを高めている。
【０００７】
本発明は、このような従来の技術に着目してなされたものであり、観察者に応じて容易に乱視矯正レンズを交換でき且つ交換した際に乱視矯正レンズを正しい向きにすることができる手術顕微鏡の接眼部構造を提供することを目的としている。
【課題を解決するための手段】
【０００８】
本発明の第１の技術的側面によれば、手術顕微鏡に設けられている左右一対の接眼部の内部に、該接眼部の観察者側から、筒状のアイカップが挿入されている手術顕微鏡の接眼部構造であって、前記アイカップが、接眼部の光軸を中心した回転方向において非回転を維持したまま光軸方向ではスライド自在に接眼部に挿入され且つ内部に視度調整レンズが設けられた本体部と、該本体部の観察者側に着脱自在に取付けられ且つ内部に乱視矯正レンズが設けられた端末部とから構成され、該端末部が本体部に対する取付け時に接眼部の光軸を中心とした回転方向において正規の向きになることを特徴とする。
【０００９】
本発明の第２の技術的側面によれば、端末部が本体部に対してバヨネット方式により着脱自在に取付けられ、本体部又は端末部のいずれか一方の対応面には、光軸を中心とした回転方向に沿ってそれぞれ形状が異なるフランジ状のバヨネット爪が複数形成され、他方の対応面には、前記各バヨネット爪に相応する形状で該バヨネット爪を光軸方向に沿って差入れ可能な切欠部がそれぞれ形成されていると共に、各切欠部から光軸を中心とした回転方向のうち一方の係止方向だけに向けてバヨネット溝が形成され、バヨネット爪が切欠部からバヨネット溝の端部まで回転することで端末部が本体部に対して取付状態となり且つ端末部が正規の向きになることを特徴とする。
【発明の効果】
【００１０】
本発明の第１の技術的側面によれば、乱視矯正レンズを端末部に設け、その端末部を本体部に対して着脱自在に取付け可能なため、観察者は個人専用の乱視矯正レンズを内蔵した端末部をそれぞれ用意し、その端末部を自身が手術顕微鏡を使用する際に本体部に取付ければ良い。着脱可能な取付構造のため個人専用の端末部を本体部に取付ける作業が容易である。また取付けた際には端末部における乱視矯正レンズは必ず正しい向きとなり、乱視矯正レンズの機能が損なわれることはない。
【００１１】
本発明の第２の技術的側面によれば、バヨネット爪の形状がそれぞれ異なるため、バヨネット爪は必ず対応する切欠部に正しく差入れられる。そしてバヨネット爪は切欠部から一方の係止方向だけに向けて形成されたバヨネット溝に沿って回転し、その端部で回転が停止する。そのため端末部は正規の向きに規制され、内蔵された乱視矯正レンズは正しく機能する。端末部を取り外す場合は端末部を逆方向へ回転させ、バヨネット爪を切欠部に合わせ、そこから抜き出せば良い。
【図面の簡単な説明】
【００１２】
【図１】手術顕微鏡を示す斜視図。
【図２】接眼部を示す断面図。
【図３】端末部を外した状態を示す接眼部の断面図。
【図４】本体部と端末部の各対応面を示す斜視図。
【図５】離脱位置の端末部と本体部を示す説明図。
【図６】係止位置の端末部と本体部を示す説明図。
【図７】バヨネット溝の内部形状を示す断面図。
【図８】バヨネット溝と離脱位置のバヨネット爪を示す断面図。
【図９】バヨネット溝と係止位置のバヨネット溝を示す断面図。
【発明を実施するための形態】
【００１３】
図１〜図９は本発明の好適な実施形態を示す図である。
【００１４】
手術顕微鏡１は左右に２つの接眼部２を有している。各接眼部２は円筒形状で、その観察者Ｍ側にはアイカップ３が接眼部２の光軸Ｋの方向に沿ってスライド自在に挿入されている。アイカップ３も基本的に円筒形状で、接眼部２内に挿入される本体部４と、その本体部４の観察者Ｍ側に取付けられる端末部５とから構成されている。
【００１５】
接眼部２の内面には光軸Ｋの方向に沿ってストレート溝６が形成されており、本体部４の外面にはそのストレート溝６内に沿って移動するピン７が固定されている。従って、本体部４は光軸Ｋの方向に沿ってスライド可能だが、ストレート溝６とピン７との係合により光軸Ｋを中心とした回転方向では非回転である。
【００１６】
本体部４の内部には視度調整レンズ８が内蔵されている。観察者Ｍが本体部４を光軸Ｋの方向にスライドさせて調整することにより、視度を観察者Ｍの瞳に合致させることができる。
【００１７】
端末部５には乱視矯正レンズ９が内蔵されている。乱視矯正レンズ９はホルダ１０に組み込まれており、このホルダ１０が端末部５に対して螺合されている。端末部５の観察者Ｍ側の周縁にはラバー１１が設けられている。ラバー１１は観察者Ｍの目を当てた時の感触を良くすると共に、観察者Ｍの目の回りを遮光する機能も有する。
【００１８】
端末部５は本体部４に対してバヨネット方式により着脱自在に取付けられている。端末部５の本体部４に対する対応面には２つのバヨネット爪１２、１３が対向方向に形成されている。バヨネット爪１２、１３は互いに形状が異なり、下側のバヨネット爪１３の方が上側のバヨネット爪１２よりも大きく形成されている。
【００１９】
本体部４の対応面には、バヨネット爪１２、１３に対応する位置にバヨネット爪１２、１３に相応する形状の切欠部１４、１５が形成されている。そしてこの切欠部１４、１５から、光軸Ｋを中心とした回転方向のうち、一方の係止方向Ａだけに向けて、切欠部１４、１５を４５度の角度θで回転可能とする円弧範囲にバヨネット溝１６、１７が形成されている（図中、下側のバヨネット溝１７の符号θは省略）。
【００２０】
端末部５の対応面におけるバヨネット爪１２から離脱方向Ｂに４５度だけ変位した位置にはマーカー１８が付されている。このマーカー１８は乱視矯正レンズ９を端末部５に組み込む際に参照されるもので、乱視矯正レンズ９はこのマーカー１８が真上を向いた状態が正規の向きであり、本体部４に端末部５を取付けた際に、このマーカー１８が真上を向くように、乱視矯正レンズ９は予め端末部５に組み込まれる。
【００２１】
次に端末部５の本体部４への着脱方法について説明する。
【００２２】
尚、以下の説明において、バヨネット溝１６、１７の切欠部１４、１５から係止方向Ａに角度θだけ回転した位置を係止位置ａ、本体部４における切欠部１４、１５の位置を離脱位置ｂとして説明する。
【００２３】
まず端末部５を本体部４に取付けるには、端末部５を手で持ってバヨネット爪１２、１３を本体部４の切欠部１４、１５に合わせてそのまま切欠部１４、１５内に差入れる。この際バヨネット爪１２、１３と切欠部１４、１５の上下の形状がそれぞれ相違しているため、上下を間違える心配はない。
【００２４】
バヨネット爪１２、１３を切欠部１４、１５内に入れた後、端末部５を係止方向Ａへ角度θだけ回し、バヨネット爪１２、１３をバヨネット溝１６、１７の端部と当接した係止位置ａにする。この状態でバヨネット爪１２、１３はバヨネット溝１６、１７内に係合し、両者間に生じる適度な摩擦力によりバヨネット爪１２、１３は係止位置ａに保持され、端末部５から手を離しても端末部５の状態はそのまま維持される。
【００２５】
バヨネット爪１２、１３を係止位置ａまで回すと、端末部５のマーカー１８がちょうど真上を向き、端末部５内の乱視矯正レンズ９が正規の向きとなる。端末部５は取付対象である本体部４が光軸Ｋを中心に非回転のため、端末部５も非回転となる。
【００２６】
従って一度正規の向きにされた乱視矯正レンズ９の指向性はアイカップ３全体を光軸Ｋの方向にスライドさせても保たれ、乱視防止機能を十分に発揮することができる。観察者Ｍはメガネを外した状態で手術することができ、手術の効率を高めることができる。
【００２７】
この端末部５を外す場合には、端末部５を離脱方向Ｂへ回して、バヨネット爪１２、１３を離脱位置ｂである切欠部１４、１５に合わせる。そしてそのままバヨネット爪１２、１３を切欠部１４、１５から抜き出し、端末部５を本体部４から取り外すことができる。別の観察者Ｍが手術顕微鏡１を使用する場合は、その観察者Ｍに合致した専用の乱視矯正レンズを内蔵した別の端末部を前記と同じ要領で取付ければ良い。
【符号の説明】
【００２８】
１  手術顕微鏡
２  接眼部
３  アイカップ
４  本体部
５  端末部
８  視度調整レンズ
９  乱視矯正レンズ
１２、１３  バヨネット爪
１４、１５  切欠部
１６、１７  バヨネット溝
Ａ  係止方向
Ｂ  離脱方向
Ｋ  光軸
Ｍ  観察者
ａ  係止位置
ｂ  離脱位置
【図１】
2018205371.tif 000003
【図２】
2018205371.tif 000004
【図３】
2018205371.tif 000005
【図４】
2018205371.tif 000006
【図５】
2018205371.tif 000007
【図６】
2018205371.tif 000008
【図７】
2018205371.tif 000009
【図８】
2018205371.tif 000010
【図９】
2018205371.tif 000011